(57)【要約】【課題】  着座姿勢のほかに横になった姿勢でもマッサージを受けられるようなソファーの提供。【解決手段】  クッション性を有する座部１２、背凭れ部１３及び肘掛部１４を有したソファー１１であって、上記座部１２を、少なくとも２人の人間が並んで座れる大きさの横長形状に形成するとともに、上記座部１２及び／又は背凭れ部１３、及び肘掛部１４に、それぞれ使用者に対してマッサージを施す第１マッサージ機構１６又は肘掛マッサージ機構１７を内蔵したソファー１１。【選択図】    図２
2005152293.tif 000002
【特許請求の範囲】
【請求項１】
クッション性を有する座部、背凭れ部及び肘掛部を有したソファーであって、
上記座部及び／又は背凭れ部、及び肘掛部における使用者の荷重を受ける部位に、それぞれ使用者に対してマッサージを施す第１マッサージ機構又は肘掛マッサージ機構を設けた
ソファー。
【請求項２】
クッション性を有する座部、背凭れ部及び肘掛部を有したソファーであって、
上記座部を、少なくとも２人の人間が並んで座れる大きさの横長形状に形成するとともに、
上記座部及び／又は背凭れ部、及び肘掛部に、それぞれ使用者に対してマッサージを施す第１マッサージ機構又は肘掛マッサージ機構を内蔵した
ソファー。
【請求項３】
前記座部の下方位置であって、着座姿勢の使用者の足を支える位置には、使用者の足を支える引き出し式の足支持板部を設け、
該足支持板部に、使用者の足の裏をマッサージする足裏マッサージ機構を内蔵した
請求項１又は２に記載のソファー。
【請求項４】
前記各マッサージ機構を、使用者に対して叩き刺激を与える叩きマッサージ器及び／又は使用者に振動刺激を与える振動マッサージ器を用いて構成した
請求項１、２又は３に記載のソファー。
【請求項５】
前記各マッサージ機構を駆動操作するリモコン式の操作器を設け、
当該ソファーの背面に、上記操作器を収納するポケットを形成した
請求項１から請求項４のうちのいずれか一項に記載のソファー。
【発明の詳細な説明】
【技術分野】
【０００１】
この発明は、リラックスして腰掛けることのできるクッションの利いたソファーに関し、より詳しくは、普通にソファーとして使用しながらマッサージを受けることが可能であるようなソファーに関する。
【背景技術】
【０００２】
ソファー型マッサージ椅子なるものが既に提案されている（下記特許文献１参照）。
【０００３】
このソファー型マッサージ椅子は、左右に並んで着座した２人の人間が同時にマッサージを受けられるようにしたものである。このため、座部は横方向に長い長寸に形成されている。そして座部の後部には、左右２つの背凭れ部が設けられ、座部の前部には左右２つの脚載せ部が、水平姿勢と垂直姿勢とに出没自在に設けられている。
【０００４】
上記２つの背凭れ部はそれぞれ独立して起伏可能で、上記２つの脚載せ部も同様である。
【０００５】
そしてこれら背凭れ部と脚載せ部には、それぞれマッサージ機構が内装されている。
【０００６】
つまり、上記ソファー型マッサージ椅子は、２つのマッサージ椅子を左右に並べた構造で、換言すれば、座部を共通にして一体化した構造である。
【０００７】
ところで、ソファーは、クッションの利いた長椅子であるので、使用者は足を下にして座るだけではなく、例えば肘掛部を枕あるいは足載せとして横になる使用方法が可能であり、またそのようにすると気持ちが良い。
【０００８】
しかし、上記ソファー型マッサージ椅子では、上述のようにマッサージ機構は背凭れ部と脚載せ部とに設けられており、肘掛部には設けられていない。
【０００９】
つまり、上述のように使用者が横になる使用方法を採った場合、上記ソファー型マッサージ椅子では、マッサージを受けることができない。
【００１０】
上述のように上記ソファー型マッサージ椅子は、２人の使用者が足を下にして並んで同時にマッサージを受けることができるようにという技術思想に基づいた、長椅子型のマッサージ椅子である。
【００１１】
【特許文献１】特開２００２−２８２０９号公報
【発明の開示】
【発明が解決しようとする課題】
【００１２】
そこでこの発明は、通常のソファーと同様に使用しながらマッサージを受けることができるようにすることを主たる課題とする。
【課題を解決するための手段】
【００１３】
そのための手段は、クッション性を有する座部、背凭れ部及び肘掛部を有したソファーであって、上記座部及び／又は背凭れ部、及び肘掛部における使用者の荷重を受ける部位に、それぞれ使用者に対してマッサージを施す第１マッサージ機構又は肘掛マッサージ機構を設けたソファーであることを特徴とする。
【００１４】
別の手段は、クッション性を有する座部、背凭れ部及び肘掛部を有したソファーであって、上記座部を、少なくとも２人の人間が並んで座れる大きさの横長形状に形成するとともに、上記座部及び／又は背凭れ部、及び肘掛部に、それぞれ使用者に対してマッサージを施す第１マッサージ機構又は肘掛マッサージ機構を内蔵したソファーであることを特徴とする。
【００１５】
すなわち、使用者は着座姿勢では第１マッサージ機構による背中及び／又は大腿部へのマッサージを受けることができ、肘掛部を枕又は足載せとして横になった姿勢では、肘掛マッサージ機構による首筋や足首、足、ふくらはぎ等へのマッサージを受けることができる。また、ソファーをマッサージ機として使用しない場合では、普通のソファーとして使用できる。
【００１６】
なお、着座姿勢でより有効なマッサージを受けられるようにするためには、上記座部の下方位置であって、着座姿勢の使用者の足を支える位置に、使用者の足を支える引き出し式の足支持板部を設け、該足支持板部に、使用者の足の裏をマッサージする足裏マッサージ機構を内蔵するとよい。背中又は大腿部と同時に足の裏にもマッサージを受けることができる。また足支持板部は、引き出し式であるので、水平姿勢と垂直姿勢とに出没自在に設けられている場合とは異なり、ソファーとしての外観を損なわずに済む。
【００１７】
また、上記各マッサージ機構は、使用者に対して叩き刺激を与える叩きマッサージ器及び／又は使用者に振動刺激を与える振動マッサージ器を用いて構成するとよい。その他のマッサージ器と組み合わせることもできる。
【００１８】
さらに、上記各マッサージ機構を駆動操作するリモコン式の操作器を設け、当該ソファーの背面に、上記操作器を収納するポケットを形成するもよい。
【００１９】
操作器はリモコン式であるので、着座姿勢でも横になった姿勢でも容易に使用可能である。また、操作器をソファー上の適宜位置に固定的に設けて、その操作器を外観上見えないように覆うこともできるが、リモコン式の操作器をソファーの背面に設けたポケットに収納することで、外観上見えないように、すなわち隠蔽することができ、マッサージ椅子とは異なるソファーとしての独特な外観を保つことができる。
【発明の効果】
【００２０】
以上のように、この発明によれば、第１マッサージ機構に加えて肘掛マッサージ機構を設けているので、ソファーとして普通に使用しながら、すなわち着座姿勢で使用しても、横になった姿勢で使用しても、自由にマッサージを受けることができる。
【００２１】
また請求項３に係る発明のように、足裏マッサージ機構を有した足支持板部を設けると、着座姿勢において足の裏までマッサージを受けることができるので、マッサージ効果が高い。しかも、足支持板部は引き出し式であるので、足支持板部を収納した状態では、ソファーとしての外観を損なわないようにすることができる。また、座部の下側をよりふっくらと形成して、ソファーらしい外観を得られる。
【００２２】
請求項４に係る発明のように、叩きマッサージ器や振動マッサージ器を用いて各マッサージ機構を構成すると、簡素な構成とすることができるとともにコストを抑えられる利点を有する。
【００２３】
請求項５に係る発明のように、リモコン式の操作器を設けて、これをソファーの背面に形成したポケットに収納可能にすると、マッサージ機として使用しない場合に、操作器が外観上見えないようにすることができ、上記請求項３の発明が達成する効果とともに、ソファーとしての外観特性を保つことができる。また、リモコン式であるので、着座姿勢でも横になった姿勢でも使用しやすい。
【発明を実施するための最良の形態】
【００２４】
この発明を実施するための一形態を、以下図面を用いて説明する。  
図１は、ソファー１１を正面側から見た斜視図であり、この図に示すようにソファー１１は座部１２と、背凭れ部１３と、肘掛部１４とを有している。これらはいずれもウレタン等を内蔵して、クッション性を持たせたもので、表面は、皮革や人工皮革、織物地等の適宜の表装材で被覆されている。
【００２５】
座部１２は、２人の人間が並んでゆったりと座れる大きさの横長形状である。例えば９０〜１００cm程に形成するとよい。
【００２６】
背凭れ部１３は、座部１２の後部に一体に形成し、所定高さ上方に立ち上げられている。全体として左右方向の両端部が低くなるような形状で、座部を取り巻くように形成され、ゆったりと座れるソファーの外観が表現されている。
【００２７】
肘掛部１４，１４は、その背凭れ部１３の両側部から前方へ延びるように形成され、座部１２の左右両側に立ち上げられる。これら肘掛部１４，１４の上端部は、外側に反る形に形成され、上記背凭れ部１３と同様にゆったりと座れるソフトな外観が表現されている。
【００２８】
図中１５は、ソファー１１を支える短円柱状の脚部である。
【００２９】
このようなソファー１１には、図２に示したように複数のマッサージ機構が設けられている。
【００３０】
すなわち、ソファー１１の背凭れ部には、着座した使用者の背中をマッサージする背凭れマッサージ機構１６が内蔵され、肘掛部１４には肘掛部１４を枕又は足載せとして横になった使用者の肘掛部１４上の部位をマッサージする肘掛マッサージ機構１７が内蔵されている。
【００３１】
また、座部１２の下方位置であって、着座姿勢の使用者の足を支える位置には、使用者の足の裏をマッサージする足裏マッサージ機構１８を内蔵した引き出し式の足支持板部１９が設けられている。
【００３２】
上記背凭れマッサージ機構１６は、電磁ソレノイドにより構成され、使用者に対して叩き刺激を与える周知の叩きマッサージ器２０と、偏心した錘、すなわち振動子とこれを回転させるモータとよりなり、使用者に対して振動刺激を与える周知の振動マッサージ器２１とで構成される。
【００３３】
これら叩きマッサージ器２０と振動マッサージ器２１は、着座する使用者に対応さすべく左右に分けて設けられる。図示例では、叩きマッサージ器２０は、ソファー１１の左側（図面右側）に設けられ、振動マッサージ器２１はソファー１１の右側（図面左側）に設けられる。叩きマッサージ器２０は、着座した使用者の首筋をマッサージできる位置に左右に２個、所定間隔を隔てて設けられる。振動マッサージ器２１は、着座した使用者の首の下部近傍またはその下側部位に対応する位置に設けられている。
【００３４】
上記肘掛マッサージ機構１７は、振動マッサージ器２１で構成され、２つある肘掛部１４，１４のうち左側の肘掛部１４（図面右側）に内蔵される。
【００３５】
上記足支持板部１９は、ソファー１１の左側（図面右側）に設けられ、左右二組のレール２２とスライダ２３により引き出し可能に取り付けられている。上記レール２２とスライダ２３は周知の機構で、スライダ２３は、足支持板部１９の左右両側面に固定される。レール２２は、ソファー１１本体側の足支持板部収納位置に固定される（図３参照）。
【００３６】
足支持板部１９は、収納した時に外観上目立たないように、その前面は開口部と略同一の幅に設定するのが好ましい。上記スライダ２３を固定しながらも開口部との隙間が目立たないようにすべく、足支持板部１９の左右両側面には、正面側を除いて一段低い段差１９ａを設けている。
【００３７】
この足支持板部１９も、その上面が適宜のクッション性を有するように形成され、着座した使用者の足の裏に対応する位置に、振動マッサージ器２１が内蔵されている。
【００３８】
また、この足支持板部１９の前端側の下面には、引き出した足支持板部１９
を安定させるための支持手段としてキャスタ２４を設けている。このキャスタ２４は、足支持板部１９の幅方向の中間位置にひとつあれば足りるが、複数設けるもよい。
【００３９】
これら各マッサージ機構を操作するための操作器２５は、手で握れる大きさに形成され、コード２６を介してソファー１１の背面側に接続されている。その形状は、図４に示したように、長円形の上側部分を大径にした板状形状で、表面には所要のスイッチが配設されている。図示したスイッチは例示であるが、それらスイッチのうち、図中２５ａが電源スイッチ、２５ｂが背凭れマッサージ機構１6の叩きマッサージ器２０の駆動スイッチ、２５ｃがそのモード切替スイッチ、２５ｄが各マッサージ機構１６，１７，１８における振動マッサージ器２１のモード切替スイッチである。
【００４０】
また、この操作器２５を収納する部位として、上端が開口したポケット２７を、図５に示したように、ソファー１１の背面に設けている。このポケット２７は、表装材に形成すればよい。
【００４１】
なお、上記背凭れマッサージ機構１６と肘掛部マッサージ機構１７に対応する位置におけるソファー１１の外側面には、図３、図５に示したように、開閉可能な点検口２８，２９を設けて、各マッサージ機構１６，１７の点検を可能にしている。この点検口１６，１７は、スライドファスナで開閉可能に形成し、スライドファスナを隠蔽できるように、表装材には垂れ幕状の被覆部２８ａ，２９ａが形成されている。足支持板部１９の足裏マッサージ機構１８は、上述のような点検口を設けずとも、裏面から点検可能である。
【００４２】
このように構成されたソファー１１では、普通のソファー１１と同様に、普通の着座姿勢でも、肘掛部１４を枕や足載せとした横になった姿勢でも自由に使用できる。
【００４３】
マッサージを受けようと思う場合には、ソファー１１の背面のポケット２７から操作器２５を取り出し、手にもって操作し、必要なマッサージ機構１６，１７，１８を必要な条件で適宜駆動すればよい。図６（ａ）に示したように、ソファー１１の座部１２の左側（図面右側）に着座し、足支持板部１９を引き出して足を載せれば、操作器２５のスイッチ操作により、使用者は背中と左腕と足の裏にマッサージを受けることが可能となる。マッサージが一部のみでよいのならば、スイッチ操作で不要部分のマッサージをＯＦＦにすることもできるし、左腕を肘掛部１４から外し、足支持板部１９を収納することもできる。
【００４４】
また、図６（ｂ）に仮想線で示したように、別の使用者がソファー１１の右側に着座すれば、背凭れマッサージ機構１６の振動マッサージ器２１により、その使用者は背中にマッサージを受けることができる。２人一緒に着座して、１人又は２人がマッサージを受けることも可能である。
【００４５】
図６(ｃ)に示ししたように、使用者がソファー１１左側（図面右側）の肘掛部１４を枕にして横になった場合には、肘掛マッサージ機構１７により、首にマッサージを受けることができる。操作は、リモコン式の操作器２５があるので簡単である。
【００４６】
また、図示した姿勢とは逆に使用者がソファー１１の左側（図面右側）の肘掛部１４を足載せにして横になった場合には、肘掛マッサージ機構１７により、足の裏、足、足首、ふくらはぎ等の所望位置にマッサージを受けることができる。
【００４７】
このように、背凭れマッサージ機構１６に加えて肘掛マッサージ機構１７を設けているので、ソファー１１として普通に使用しながら、すなわち着座姿勢で使用しても、横になった姿勢で使用しても、自由にマッサージを受けることができる。
【００４８】
また、着座姿勢において足の裏にもマッサージを受けることができるので、マッサージ効果が高い。
【００４９】
さらに、操作器２５はリモコン式であるので、着座姿勢でも横になった姿勢でも使用しやすい。
【００５０】
また上記足支持板部１９は引き出し式であるので、足支持板部１９を収納した状態では、ソファー１１としての外観を損なわないようにすることができるとともに、操作器２５も、不要な時には背面に収納しておけるので、隠蔽することが可能となり、ソファー１１としての外観特性を保つことができる。つまり、マッサージ機らしく見えることはなく、インテリアとしての機能を果たすソファーのみとしても充分に使用できる。
【００５１】
また、各マッサージ機構１６，１７，１８を叩きマッサージ器２０と振動マッサージ器２１で構成しており、その配置も、背凭れ部１３の左右両側部分と、左右方向の一方の肘掛部１４と、左右方向の一方側に設けた足支持板部１９とに設定されているので、必要最小限のマッサージ器を用いて、コストを抑えながらも有効なマッサージを可能とすることができる。
【００５２】
この発明の構成と、上記一形態の構成との対応において、  
この発明の第１マッサージ機構は、上記位置形態の背凭れマッサージ機構１６に対応するも、  
この発明は上記一形態の構成のみに限定されるものではない。
【００５３】
例えば、第１マッサージ機構として、座部に、或いは座部と背凭れ部にマッサージ器を設けるもよい。
【００５４】
また、マッサージ器としては、叩きマッサージ器２０と振動マッサージ器２１のみではなく、例えば揉み、ローラなどの適宜のマッサージ器を用いるもよい。
【００５５】
さらに、肘掛マッサージ機構１７は、左右両方の肘掛部１４，１４に設けるもよく、この場合には、使用者は首と足とを同時にマッサージできるようになる。
【００５６】
座部１２にあっては、２人用の幅に限られず、１人が腰掛けられる幅であるも、２．５人以上が腰からけられるような幅であるもよい。
【００５７】
また操作器を、コードレスのリモコン式に形成すると、コード２６がなくなるので、外観上より良くなる。
【図面の簡単な説明】
【００５８】
【図１】ソファーの斜視図。
【図２】ソファーの内部構造を示す斜視図。
【図３】ソファーの側面図。
【図４】操作器の平面図。
【図５】ソファーの背面図。
【図６】ソファーの使用状態を示す説明図。
【符号の説明】
【００５９】
１１…ソファー
１２…座部
１３…背凭れ部
１４…肘掛部
１６…背凭れマッサージ機構
１７…肘掛マッサージ機構
１８…足裏マッサージ機構
１９…足支持板部
２０…叩きマッサージ器
２１…振動マッサージ器
２５…操作器
２７…ポケット
【図１】
2005152293.tif 000003
【図２】
2005152293.tif 000004
【図３】
2005152293.tif 000005
【図４】
2005152293.tif 000006
【図５】
2005152293.tif 000007
【図６】
2005152293.tif 000008